(57)【特許請求の範囲】
【請求項１】
基板上に、下部電極層と強誘電体薄膜層と上部電極密着層と上部電極層とが順次積層された強誘電体薄膜積層基板であって、
前記下部電極層は白金または白金合金からなり、
前記強誘電体薄膜層はニオブ酸ナトリウムカリウム（組成式(K1-xNax)NbO3、0.4≦ x ≦0.7）からなり、
前記上部電極層は金からなり、
前記上部電極密着層は、チタンよりも難酸化性金属でかつ金と金属間化合物を生成せずに固溶型合金となり得る金属からなり、
前記上部電極密着層の一部と前記上部電極層の一部とが合金化していることを特徴とする強誘電体薄膜積層基板。
【請求項２】
請求項１に記載の強誘電体薄膜積層基板において、
前記上部電極密着層がニッケル、コバルト、タングステン、およびモリブデンのうちの一つからなることを特徴とする強誘電体薄膜積層基板。
【請求項３】
請求項１又は請求項２に記載の強誘電体薄膜積層基板において、
前記上部電極密着層の厚さが5 nm以上50 nm以下であることを特徴とする強誘電体薄膜積層基板。
【請求項４】
請求項１乃至請求項３のいずれかに記載の強誘電体薄膜積層基板において、
前記基板と前記下部電極層との間に下部電極密着層が更に積層され、
前記下部電極密着層はチタンおよび／またはチタン酸化物からなることを特徴とする強誘電体薄膜積層基板。
【請求項５】
請求項１乃至請求項４のいずれかに記載の強誘電体薄膜積層基板において、
前記下部電極層は主表面が(1 1 1)面に優先配向しており、
前記強誘電体薄膜層は、結晶系が擬立方晶または正方晶であり、主表面が(0 0 1)面に優先配向していることを特徴とする強誘電体薄膜積層基板。
【請求項６】
請求項１乃至請求項５のいずれかに記載の強誘電体薄膜積層基板において、
前記基板は表面に熱酸化膜を有するシリコン基板であることを特徴とする強誘電体薄膜積層基板。
【請求項７】
請求項１乃至請求項６のいずれかに記載の強誘電体薄膜積層基板を利用したことを特徴とする強誘電体薄膜素子。
【請求項８】
請求項１乃至請求項６のいずれかに記載の強誘電体薄膜積層基板の製造方法であって、
前記基板上に前記下部電極層を形成する下部電極層形成工程と、
前記下部電極層上に前記強誘電体薄膜層を形成する強誘電体薄膜層形成工程と、
前記強誘電体薄膜層上に前記上部電極密着層を形成する上部電極密着層形成工程と、
前記上部電極密着層上に前記上部電極層を形成する上部電極層形成工程とを有し、
前記上部電極層形成工程は、前記上部電極層の成膜を50℃以上200℃以下の温度環境下で行うことにより、前記上部電極密着層の一部と前記上部電極層の一部とを合金化するプロセスを含むことを特徴とする強誘電体薄膜積層基板の製造方法。
【発明の詳細な説明】
【技術分野】
【０００１】
本発明は、強誘電体薄膜素子に関し、特に、非鉛系のニオブ酸系強誘電体を具備する強誘電体薄膜積層基板、該積層基板から切り出した強誘電体薄膜素子、および該積層基板の製造方法に関するものである。
【背景技術】
【０００２】
強誘電体は、その特異な性質（例えば、極めて高い比誘電率、焦電性、圧電性、強誘電性など）から大変魅力的な物質であり、各性質を活かしてセラミック積層コンデンサ、焦電素子、圧電素子、強誘電体メモリなどとして利用されている。代表的な材料としては、ペロブスカイト構造を有するチタン酸バリウム（BaTiO3）やチタン酸ジルコン酸鉛（Pb(Zr1-xTix)O3、PZTと略す）が挙げられる。なかでも、優れた分極性・圧電性を有するチタン酸ジルコン酸鉛（PZT）が広く用いられてきた。
【０００３】
PZTは、鉛を含有する特定有害物質であるが、現在のところ焦電材料・圧電材料として代替できる適当な市販品が存在しないため、RoHS指令（電気・電子機器に含まれる特定有害物質の使用制限に関する欧州議会及び理事会指令）の適用免除対象となっている。しかしながら、世界的に地球環境保全の要請はますます強まっており、鉛を含有しない強誘電体（非鉛系強誘電体）を使用した焦電素子・圧電素子の開発が強く望まれている。
【０００４】
また、近年における各種電子機器への小型化・軽量化の要求に伴って、薄膜技術を利用した強誘電体薄膜素子の要求が高まっている。
【０００５】
本明細書では、以下、強誘電体薄膜素子として圧電薄膜素子や焦電薄膜素子を念頭に置いて説明する。なお、圧電素子とは、強誘電体の圧電効果を利用する素子であり、強誘電体（圧電体）への電圧印加に対して変位や振動を発生するアクチュエータや、圧電体への応力変形に対して電圧を発生する応力センサなどの機能性電子部品として広く利用されている。また、焦電素子とは、強誘電体の焦電効果によって赤外線を含む光を検出する素子であり、人体検出用赤外線センサなどとして広く利用されている。
【０００６】
非鉛系圧電材料を使用した圧電体薄膜素子として、例えば特許文献１には、基板上に、下部電極、圧電薄膜、及び上部電極を有する圧電薄膜素子において、上記圧電薄膜を、組成式(NaxKyLiz)NbO3（0＜x＜1、0＜y＜1、0≦z＜1、x＋y＋z＝1）で表記されるアルカリニオブ酸化物系のペロブスカイト化合物で構成される誘電体薄膜とし、その圧電薄膜と上記下部電極の間に、バッファ層として、ペロブスカイト型結晶構造を有し、かつ、(0 0 1)、(1 0 0)、(0 1 0)、及び(1 1 1)のいずれかの面方位に高い配向度で配向され易い材料の薄膜を設けたことを特徴とする圧電薄膜素子が開示されている。特許文献１によると、鉛フリーのニオブ酸リチウムカリウムナトリウム薄膜を用いた圧電薄膜素子で、十分な圧電特性が得られるとされている。
【０００７】
一方、非鉛系圧電体薄膜素子の実用化のためには、圧電特性の向上に加えて長期使用における信頼性（耐久性）が求められており、それを意図した技術も種々開発されている。
【０００８】
例えば特許文献２には、基板と、前記基板上に設けられた下部電極構造と、前記下部電極構造上に設けられたKNN圧電膜と、前記KNN圧電膜上に設けられた少なくとも１つの拡散防止構造と、前記拡散防止構造上に設けられた上部電極構造と、を備え、前記上部電極構造は、Au層からなる上部電極を有し、前記拡散防止構造は、前記KNN圧電膜側から順に、中間密着層と、前記中間密着層上に設けられると共に前記上部電極から前記KNN圧電膜へのAuの拡散を防止するAu拡散防止層と、を有することを特徴とする圧電膜素子が開示されている。また、特許文献２には、Au拡散防止層がPt層又はPt合金層からなること、中間密着層がCr層、Ta層、Ti層、Ti酸化物層、又はTi窒化物層からなることが開示されている。特許文献２によると、長期使用においてKNN圧電膜の絶縁性が劣化しにくい実用的な圧電膜素子及びそれを備えた圧電膜デバイスを提供することができるとされている。
【先行技術文献】
【特許文献】
【０００９】
【特許文献１】特開２００７−１９３０２号公報
【特許文献２】特開２０１４−６０２６７号公報
【発明の概要】
【発明が解決しようとする課題】
【００１０】
前述したように、非鉛系強誘電体としてニオブ酸系強誘電体（例えば、ニオブ酸ナトリウムカリウム、(K1-xNax)NbO3）は、大変有望な材料の一つである。しかしながら、ニオブ酸系強誘電体は比較的新しい材料群であるため、薄膜素子の積層構造や製造プロセス制御の観点で未解明な点がまだまだ多く残されている。PZT薄膜素子の代替品となるようにニオブ酸系強誘電体薄膜素子を実用化・量産化するためには、実用化・量産化に求められる様々な要求を満たす積層構造や製造プロセスを確立することが非常に重要である。
【００１１】
例えば、電子部品を電子機器に組み込む際にワイヤボンディングで電気的接続をすることがしはしば行われるが、ワイヤボンディングの接合性の指標としてボンディングワイヤと電極パッドとの間の接合強度（引張強さ）がある。特許文献２に記載の圧電体薄膜素子においても、ボンディングワイヤ（例えば、金ボンディングワイヤ）との接合性の観点から、ワイヤボンディングに好適な金層からなる上部電極が使用されている。しかしながら、最近では量産性の観点から従来以上の接合強度（例えば、60 mN以上の引張強さ）が求められており、特許文献２に記載の技術では当該要求への対応が困難になってきた。
【００１２】
したがって本発明の目的は、薄膜素子においてワイヤボンディングを行った際に、従来以上の接合強度を可能にするニオブ酸系強誘電体薄膜積層基板、該積層基板から切り出した強誘電体薄膜素子、および該積層基板の製造方法を提供することにある。
【課題を解決するための手段】
【００１３】
（I）本発明の一態様は、上記目的を達成するため、基板上に、下部電極層と強誘電体薄膜層と上部電極密着層と上部電極層とが順次積層された強誘電体薄膜積層基板であって、
前記下部電極層は白金（Pt）またはPt合金からなり、
前記強誘電体薄膜層はニオブ酸ナトリウムカリウム（組成式(K1-xNax)NbO3、0.4≦ x ≦0.7）からなり、
前記上部電極層は金（Au）からなり、
前記上部電極密着層は、チタン（Ti）よりも難酸化性金属でかつAuと金属間化合物を生成せずに固溶型合金となり得る金属からなり、
前記上部電極密着層の一部と前記上部電極層の一部とが合金化していることを特徴とする強誘電体薄膜積層基板を提供する。
【００１４】
また本発明は、上記の本発明に係る強誘電体薄膜積層基板において、以下のような改良や変更を加えることができる。
（i）前記上部電極密着層がニッケル（Ni）、コバルト（Co）、タングステン（W）、およびモリブデン（Mo）のうちの一つからなる。
（ii）前記上部電極密着層の厚さが5 nm以上50 nm以下である。
（iii）前記基板と前記下部電極層との間に下部電極密着層が更に積層され、前記下部電極密着層はTiおよび／またはTi酸化物からなる。
（iv）前記下部電極層は主表面が(1 1 1)面に優先配向しており、前記強誘電体薄膜層は、結晶系が擬立方晶または正方晶であり、主表面が(0 0 1)面に優先配向している。
（v）前記基板は表面に熱酸化膜を有するシリコン（Si）基板である。
【００１５】
（II）本発明の他の一態様は、上記の本発明に係る強誘電体薄膜積層基板を利用したことを特徴とする強誘電体薄膜素子を提供する。
【００１６】
（III）本発明の更に他の一態様は、上記の本発明に係る強誘電体薄膜積層基板の製造方法であって、
前記基板上に前記下部電極層を形成する下部電極層形成工程と、
前記下部電極層上に前記強誘電体薄膜層を形成する強誘電体薄膜層形成工程と、
前記強誘電体薄膜層上に前記上部電極密着層を形成する上部電極密着層形成工程と、
前記上部電極密着層上に前記上部電極層を形成する上部電極層形成工程とを有し、
前記上部電極層形成工程は、前記上部電極層の成膜を50℃以上200℃以下の温度環境下で行うことにより、前記上部電極密着層の一部と前記上部電極層の一部とを合金化するプロセスを含むことを特徴とする強誘電体薄膜積層基板の製造方法を提供する。
【発明の効果】
【００１７】
本発明によれば、薄膜素子においてワイヤボンディングを行った際に、従来以上の接合強度を可能にするニオブ酸系強誘電体薄膜積層基板、該積層基板から切り出した強誘電体薄膜素子、および該積層基板の製造方法を提供することができる。
【図面の簡単な説明】
【００１８】
【図１】本発明に係る強誘電体薄膜積層基板の断面模式図である。
【図２】比較例２および実施例１，４のKNN薄膜素子における分極値と印加電圧との関係例を示したグラフである。
【発明を実施するための形態】
【００１９】
本発明者等は、PZT（Pb(Zr1-xTix)O3）と同等の強誘電体特性を期待できる非鉛系強誘電体材料としてニオブ酸ナトリウムカリウム（(K1-xNax)NbO3、0.4≦ x ≦0.7、KNNと略す）に着目し、KNN薄膜素子の実用化を目指した研究開発を行ってきた。今回、該KNN薄膜素子においてワイヤボンディングを行った際に、従来以上の接合強度を可能とする積層構造（特に、上部電極の積層構造）およびその製造プロセスを鋭意研究した。
【００２０】
その結果、強誘電体薄膜層と上部電極層との間に形成する上部電極中間層として、Tiよりも難酸化性金属で（自身が酸化しづらい金属の意味、イオン化ポテンシャルが相対的に大きい金属）かつAuと金属間化合物を生成せずに固溶型合金となり得る金属を用いることにより、それを達成できることを見出した。本発明は、該知見に基づいて完成されたものである。
【００２１】
以下、本発明に係る実施形態について、図面を参照しながら詳細に説明する。ただし、本発明は、ここで取り上げた実施の形態に限定されることはなく、発明の技術的思想を逸脱しない範囲で適宜組み合わせや改良が可能である。
【００２２】
図１は、本発明に係る強誘電体薄膜積層基板の断面模式図である。図１に示したように、本発明に係る強誘電体薄膜積層基板10は、基板1の上に、下部電極密着層2、下部電極層3、強誘電体薄膜層4、上部電極密着層5および上部電極層6がこの順に積層された構造を有する。本発明に係る強誘電体薄膜素子は、強誘電体薄膜積層基板10から所望形状のチップとして切り出すことで得られる。なお、上部電極密着層5および上部電極層6は、強誘電体薄膜積層基板10の段階で形成されていてもよいし、所望形状のチップに切り出した後に形成してもよい。
【００２３】
以下、強誘電体薄膜積層基板10の製造手順に沿って、具体的に説明する。
【００２４】
はじめに、基板1を用意する。基板1の材料は、特に限定されず、強誘電体薄膜素子の用途に応じて適宜選択することができる。例えば、シリコン（Si）、SOI（Silicon on Insulator）、石英ガラス、砒化ガリウム（GaAs）、窒化ガリウム（GaN）、サファイア（Al2O3）、酸化マグネシウム（MgO）、酸化亜鉛（ZnO）、チタン酸ストロンチウム（SrTiO3）などを用いることができる。これらの中でも、Si基板を用いることがコストの面では好ましい。また、基板1が導電性材料からなる場合は、その表面に電気絶縁膜（例えば酸化膜）を有していることが好ましい。酸化膜の形成方法に特段の限定はないが、例えば、熱酸化処理や化学気相成長（Chemical Vapor Deposition、CVD）法を好適に用いることができる。
【００２５】
次に、基板1上に下部電極密着層2を形成する。下部電極密着層2の形成は必須ではないが、基板1と下部電極層3との密着性を高めるため形成することが好ましい。下部電極密着層2の材料としては、密着性や耐環境性の観点から、例えば厚さ1〜3 nmのTiおよび／またはTi酸化物が好ましい。Tiは、易酸化性金属（自身が酸化し易い金属の意味、イオン化ポテンシャル（例えば、第１イオン化ポテンシャル）が小さい金属）であり、基板1の表面に存在する酸素原子と結合してチタン酸化物の形態（原子結合状態）になり易いと考えられ、それにより高い密着性を確保できると考えられる。なお、下部電極密着層2の形成方法に特段の限定はないが、物理気相成長法（例えば、スパッタ法、熱蒸着法、電子ビーム蒸着法）を好適に用いることができる。
【００２６】
次に、下部電極密着層2上に下部電極層3を形成する。下部電極層3の材料としては、PtまたはPt合金（Ptを主成分とする合金）用いることが好ましい。下部電極層3は、強誘電体薄膜層4の下地層となることから強誘電体薄膜層4の結晶配向度を向上させるため、(0 0 1)面、(1 1 0)面および(1 1 1)面のうちのいずれかに優先配向していることが好ましく、柱状結晶粒で構成された集合組織を有していることが好ましい。なお、下部電極層3の形成方法に特段の限定はないが、物理気相成長法（例えば、スパッタ法、熱蒸着法、電子ビーム蒸着法）を好適に用いることができる。
【００２７】
次に、下部電極層3上に強誘電体薄膜層4を形成する。本発明では、強誘電体薄膜層4の材料として、非鉛系強誘電体であるニオブ酸ナトリウムカリウム（組成式(K1-xNax)NbO3、0.4≦ x ≦0.7、KNNと略す）を用いることが好ましい。また、形成するKNN薄膜は、その結晶系が擬立方晶または正方晶であり、薄膜の主表面が(0 0 1)面に優先配向されているものが、強誘電体特性上好ましい。
【００２８】
強誘電体薄膜層4（KNN薄膜）の形成方法としては、所望のKNN薄膜層が得られる限り特段の限定はないが、所望の組成を有する焼結体ターゲットを用いたスパッタ法や電子ビーム蒸着法やパルスレーザー堆積法を好適に用いることができる。これらの成膜法は、組成制御性や結晶配向制御性に優れる利点がある。
【００２９】
なお、KNN薄膜は、合計5原子％以下の範囲でリチウム（Li）、タンタル（Ta）、アンチモン（Sb）、カルシウム（Ca）、銅（Cu）、バリウム（Ba）及びTiのうちの一種以上を含んでいてもよい。
【００３０】
次に、強誘電体薄膜層4上に上部電極密着層5を形成する。上部電極密着層5は、強誘電体薄膜層4と上部電極層6との密着性を高める役割（密着層の役割）を担うと共に、薄膜素子の性能・特性（例えば、強誘電体特性）に悪影響を与えないことが重要である。本発明は、この上部電極密着層5と上部電極層6との組み合わせに最大の特徴がある。
【００３１】
上部電極密着層5の材料としては、Tiよりも難酸化性金属（自身が酸化しづらい金属の意味、イオン化ポテンシャル（例えば、第１イオン化ポテンシャル）が相対的に大きい金属）でかつAuと金属間化合物を生成せずに固溶型合金となり得る金属が好ましく、例えば、Ni、Co、WおよびMoのから選ばれる一種を好適に用いることができる。これらの金属は、Tiよりも酸化しづらいため、成膜時に酸化物を生成する割合（確率）が十分に低いと考えられる。例えば、酸素との原子結合状態を生成するのは、強誘電体薄膜層4と上部電極密着層5との界面領域に限られると考えられる。
【００３２】
また、これらの金属は、Auと金属間化合物を生成せずに固溶型合金となり得るので、後工程の上部電極層成膜時に、上部電極層6のAuの一部と合金化して固溶型合金を生成すると考えられる。金属間化合物を生成しないことから破壊・破断の起点が生成しづらく、固溶型であることから原子レベルの混合となり得る。その結果、高い一体性・密着性が得られると考えられ、高い接合強度が得られると考えられる。
【００３３】
上部電極密着層5の厚さ（平均膜厚）は、5 nm以上50 nm以下が好ましく、10 nm以上30 nm以下がより好ましい。上部電極密着層5の厚さが5 nm未満になると、上部電極層6のAuとの合金化反応が不十分になり（固溶型合金の生成量が不足し）、接合強度向上の作用効果が不十分になる。上部電極密着層5の厚さが50 nmを超えると、接合強度向上の作用効果が飽和する一方で、上部電極密着層5および上部電極層6の微細加工（例えば、ドライエッチング）のプロセスコストが増大する。
【００３４】
次に、上部電極密着層5上に上部電極層6を形成する。本発明では、ワイヤボンディングの接合強度（ボンディングワイヤとの接合性）の観点から、上部電極層6の材料としてAuを用いることが好ましい。上部電極層6の形成方法にも特段の限定はなく、下部電極層3の場合と同様に、物理気相成長法（例えば、スパッタ法、熱蒸着法、電子ビーム蒸着法）を好適に用いることができる。
【００３５】
なお、上部電極層6を成膜は、50℃以上200℃以下の温度環境下で行うことが好ましく、100℃以上200℃以下がより好ましい。所定の昇温環境下で上部電極層6の成膜を行うことにより、上部電極密着層5の一部と上部電極層6の一部との合金化反応（固溶型合金の生成）を促進することができる。成膜時の温度が50℃未満であると、合金化反応が不十分になる。一方、成膜時の温度が200℃超になると、上部電極密着層5の金属が酸化し易くなり、合金化反応が阻害されると考えられる。また、上部電極密着層5の過度の酸化は、強誘電体薄膜層4中の酸素欠損につながる可能性が高く、強誘電体特性の劣化要因となりうる。
【実施例】
【００３６】
以下、実施例に基づいて本発明をより具体的に説明する。ただし、本発明はこれらの実施例に限定されるものではない。
【００３７】
［強誘電体薄膜積層基板の作製］
図１に示した強誘電体薄膜積層基板の積層構造（基板1、下部電極密着層2、下部電極層3、強誘電体薄膜層4、上部電極密着層5、上部電極層6）をベースとして、上部電極密着層5と上部電極層6との組み合わせが異なる強誘電体薄膜積層基板を作製した。基板1としては、熱酸化膜付きSi基板（(1 0 0)面方位の4インチウェハ、ウェハ厚さ0.525 mm、熱酸化膜厚さ200 nm、基板の表面粗さRa＝0.86 nm）を用いた。
【００３８】
以下の成膜工程において、各層（下部電極密着層2、下部電極層3、強誘電体薄膜層4、上部電極密着層5、上部電極層6）の厚さの制御は、予め検証した成膜速度を基にして成膜時間を制御することにより行った。また、成膜速度を算出するための厚さの測定は、Ｘ線回折装置（スペクトリス株式会社（PANalytical事業部）製、型式：X’Pert PRO MRD）を用いて、Ｘ線反射率法により行った。
【００３９】
はじめに、基板1と下部電極層3との密着性を高めるための下部電極密着層2として、厚さ2.2 nmのTi層をSi基板上にRFマグネトロンスパッタ法により成膜した。続いて、下部電極層3として厚さ205 nmのPt層をTi層上にRFマグネトロンスパッタ法により成膜した。下部電極密着層2および下部電極層3のスパッタ成膜条件は、純Tiターゲットおよび純Ptターゲットを用い、放電パワー200 W、Ar雰囲気、圧力2.5 Paとした。成膜した下部電極層3に対して表面粗さを測定し、算術平均粗さRaが0.86 nm以下であることを確認した。なお、スパッタ装置としてはRFスパッタ装置（株式会社アルバック、型式：SH-350-T10）を用いた（以下同様）。
【００４０】
次に、下部電極層3上に、ニオブ酸系強誘電体薄膜層4として厚さ1.9μmのKNN薄膜（(K0.35Na0.65)NbO3）をRFマグネトロンスパッタ法により成膜した。KNN薄膜のスパッタ成膜条件は、(K0.35Na0.65)NbO3焼結体ターゲットを用い、基板温度400〜600℃、放電パワー700〜800 W、酸素ガスとアルゴンガスの混合雰囲気（混合比：O2/Ar ＝ 0.005）、圧力0.3〜1.3 Paとした。
【００４１】
（KNN薄膜の結晶系の評価）
ペロブスカイト構造を有するKNN結晶は、本来、c軸長がa軸長よりも長い（すなわちc/a ＞ 1である）正方晶系に属する。言い換えると、「c/a ＞ 1」の場合、正方晶としてより安定な結晶構造が形成されている（すなわち、結晶性が高い）ことを示す。また、ペロブスカイト構造を有する強誘電体は、一般的に、初期歪みが少ない結晶のc軸方向に電界を印加したときに、より大きい分極値（圧電性や強誘電性におけるより高い利得）が得られる。
【００４２】
一方、基板上に成膜された薄膜結晶は、バルク結晶体とは異なり、基板や下地層の影響を受けて結晶構造が歪み易い。具体的には、「c/a ≦ 1」である擬立方晶（本来の正方晶と言うよりも立方晶に近いという意味）からなるKNN薄膜が主に形成さる場合と、「c/a ＞ 1」である正方晶（本来の正方晶により近いという意味）からなるKNN薄膜が主に形成される場合とがある。そこで、Ｘ線回折法（XRD）により、上記で成膜したKNN薄膜の結晶系を評価した。その結果、「c/a ＞ 1」である正方晶からなるKNN薄膜が主に形成された基板が作製されていることが確認された。
【００４３】
（比較例１の作製）
次に、KNN薄膜層上に、上部電極密着層5として厚さ10 nmのTi層を電子ビーム蒸着法により成膜した。続いて、該Ti層上に、上部電極層6として厚さ300 nmのAu層を電子ビーム蒸着法により成膜した。比較例１における電子ビーム蒸着（上部電極密着層5および上部電極層6の成膜）は、基板加熱無しで行った。以上により、比較例１のKNN薄膜積層基板を作製した。なお、電子ビーム蒸着装置としては、株式会社アルバック製の装置（型式：EX-400-C08）を用いた（以下同様）。
【００４４】
（比較例２の作製）
上部電極密着層5および上部電極層6の成膜（電子ビーム蒸着）を基板温度100℃の条件で行ったこと以外は、上記比較例１と同様にして、比較例２のKNN薄膜積層基板を作製した。
【００４５】
（比較例３の作製）
上部電極密着層5として厚さ10 nmのCr層を電子ビーム蒸着法（基板温度100℃）により成膜したこと以外は、上記比較例２と同様にして、比較例３のKNN薄膜積層基板を作製した。
【００４６】
（比較例４の作製）
上部電極密着層5として厚さ2 nmのNi層を電子ビーム蒸着法（基板温度100℃）により成膜したこと以外は、上記比較例２と同様にして、比較例４のKNN薄膜積層基板を作製した。
【００４７】
（実施例１の作製）
上部電極密着層5として厚さ10 nmのNi層を電子ビーム蒸着法（基板温度100℃）により成膜したこと以外は、上記比較例２と同様にして、実施例１のKNN薄膜積層基板を作製した。
【００４８】
（実施例２の作製）
上部電極密着層5として厚さ50 nmのNi層を電子ビーム蒸着法（基板温度100℃）により成膜したこと以外は、上記比較例２と同様にして、実施例２のKNN薄膜積層基板を作製した。
【００４９】
（実施例３〜５の作製）
上部電極密着層5として厚さ10 nmのCo層を電子ビーム蒸着法（基板温度100℃）により成膜したこと以外は、上記比較例２と同様にして、実施例３のKNN薄膜積層基板を作製した。上部電極密着層5として厚さ10 nmのW層を電子ビーム蒸着法（基板温度100℃）により成膜したこと以外は、上記比較例２と同様にして、実施例４のKNN薄膜積層基板を作製した。また、上部電極密着層5として厚さ10 nmのMo層を電子ビーム蒸着法（基板温度100℃）により成膜したこと以外は、上記比較例２と同様にして、実施例５のKNN薄膜積層基板を作製した。
【００５０】
［強誘電体薄膜素子の作製］
上記の比較例１〜４および実施例１〜５のKNN薄膜積層基板から小片（20 mm×20 mm）を切り出して、比較例１〜４および実施例１〜５の測定評価用KNN薄膜素子を作製した。
【００５１】
［強誘電体薄膜素子の特性評価］
（１）ワイヤボンディング接合強度の評価
得られたKNN薄膜素子に対して、Auボンディングワイヤ（25μm径）を用いてワイヤボンディングを行い、その後、上部電極層とAuボンディングワイヤとの接合強度（引張強さ）を測定した。60 mN以上の引張強さを「合格」と判定し、60 mN未満の引張強さを「不合格」と判定した。結果を表１に示す。
【００５２】
【表１】
0006605216.tif 000002
【００５３】
表１に示したように、比較例１は、引張強さが不十分であり不合格であった。これは、上部電極密着層および上部電極層の成膜時に基板加熱を行わなかったことから、KNN薄膜層と上部電極密着層との接合性、および上部電極密着層と上部電極層との接合性が不十分であったためと考えられる。
【００５４】
一方、上部電極密着層および上部電極層の成膜時に100℃に基板加熱した比較例２は、比較例１に比して引張強さが向上したが、合格基準（60 mN）には届かなかった。これは、成膜時に上部電極密着層のTiと上部電極層のAuとが合金化反応して金属間化合物を生成したためと考えられる。
【００５５】
上部電極密着層の金属種をCrにした比較例３は、引張強さが合格基準（60 mN）に届かず不合格であった。これは、CrがTiと同等以上に易酸化性金属であることからCr酸化物の生成量が過多となったためと考えられる。
【００５６】
上部電極密着層の金属種をNiとし、その厚さが本発明の規定を外れる比較例４は、引張強さが合格基準（60 mN）に届かず不合格であった。これは、Ni層が薄過ぎたために上部電極層のAuとの合金化反応が不十分になったためと考えられる。
【００５７】
一方、本発明に係る実施例１〜５は、いずれも合格基準（60 mN）を満たすことが確認された。なお、実施例１と実施例２との比較から、ワイヤボンディング接合強度が合格基準に到達すると、上部電極密着層の厚さによる影響が小さくなることが確認された。
【００５８】
（２）強誘電体特性の評価
得られたKNN薄膜素子に対して、強誘電体特性評価システムを用いて分極特性を測定した。図２は、比較例２および実施例１，４のKNN薄膜素子における分極値と印加電圧との関係例を示したグラフである。
【００５９】
図２に示したように、比較例２（上部電極層/上部電極密着層＝Au/Ti）の分極特性（分極値のヒステリシスループ）は、実施例１（上部電極層/上部電極密着層＝Au/Ni）および実施例４（上部電極層/上部電極密着層＝Au/W）のそれらよりも劣化していることが判った。これは、Tiが易酸化性金属であることからTi酸化物の生成量が過多となり、KNN薄膜層に酸素欠損が生じたためと考えられる。一方、本発明に係る実施例１，４は、その分極特性が互いにほぼ一致しており、実質的に変化していないことが確認された。
【００６０】
上部電極密着層5の厚さに関しては、実施例１，２で同等の結果が得られることを別途確認した。また、上部電極密着層5を構成する金属種としては、実施例３〜５において実施例１と同等の結果が得られることを別途確認した。
【００６１】
なお、上述した実施形態や実施例は、本発明の理解を助けるために説明したものであり、本発明は、記載した具体的な構成のみに限定されるものではない。例えば、ある実施例の構成の一部を他の実施例の構成に置き換えることが可能であり、また、ある実施例の構成に他の実施例の構成を加えることも可能である。すなわち、本発明は、本明細書の実施形態や実施例の構成の一部について、削除・他の構成に置換・他の構成の追加をすることが可能である。
【符号の説明】
【００６２】
1…基板、2…下部電極密着層、3…下部電極層、4…強誘電体薄膜層、
5…上部電極密着層、6…上部電極層、
10…強誘電体薄膜積層基板。
【図１】
0006605216.tif 000003
【図２】
0006605216.tif 000004